(57)【要約】【課題】エミッションの低減が可能で良好な運転が行える圧縮着火式エンジンを提供する。【解決手段】ナフサを供給する第１燃料供給部１９と、ディーゼル燃料を供給する第２燃料供給部１８と、排気ガスを燃焼室１４ａに還流するＥＧＲガス還流部５１、５１ａ、これらを制御する制御部１０とを備える。負荷の低い低負荷領域では、少なくともナフサが供給され、かつ、空燃比が１４．５〜１５．０の範囲内となるように、ＥＧＲ率が高負荷領域よりも高くされる。【選択図】図７
2018204476.tif 000002
【特許請求の範囲】
【請求項１】
燃焼室を有するエンジン本体と、
前記燃焼室に、第１燃料を供給するよう構成された第１燃料供給部と、
圧縮着火に至る圧力及び温度の少なくとも一方が前記第１燃料よりも低くかつ、前記第１燃料よりも気化しにくい第２燃料を、前記燃焼室に供給するよう構成された第２燃料供給部と、
前記燃焼室から排出される排気ガスをＥＧＲガスとして、当該燃焼室に還流するＥＧＲガス還流部と、
少なくとも前記第１燃料供給部、前記第２燃料供給部、及び前記ＥＧＲガス還流部を制御する制御部と、
を備え
前記エンジン本体が運転する負荷の低い低負荷領域では、
前記第１燃料及び前記第２燃料の各燃料のうち、少なくとも前記第１燃料が前記燃焼室に供給され、かつ、
前記燃焼室に充填される、ガスの全量と前記ＥＧＲガスの量との比率であるＥＧＲ率が、前記エンジン本体が運転する負荷の高い高負荷領域よりも高くされる圧縮着火式エンジン。
【請求項２】
請求項１に記載の圧縮着火式エンジンにおいて、
前記第１燃料は、前記第２燃料に対して沸点が低い燃料である圧縮着火式エンジン。
【請求項３】
請求項１又は請求項２に記載の圧縮着火式エンジンにおいて、
前記制御部が、前記低負荷領域において、前記燃焼室の空燃比が１４．５〜１５．０の範囲内となるように、前記ＥＧＲガス還流部を制御するとともに、
前記エンジン本体に要求される負荷の増加に応じて、前記燃焼室の空燃比が１４．５〜１５．０の範囲内となるように、前記ＥＧＲガス還流部を制御して前記ＥＧＲガスの量を減少させる圧縮着火式エンジン。
【請求項４】
請求項１〜３のいずれか１つに記載の圧縮着火式エンジンにおいて、
前記エンジン本体の排気通路に三元触媒が配設され、
前記制御部が、前記ＥＧＲガス還流部を制御して、排気空燃比が理論空燃比となるように前記エンジン本体に要求される負荷の増加に応じて、前記ＥＧＲガスの量を減少させる圧縮着火式エンジン。
【請求項５】
請求項１〜４のいずれか１つに記載の圧縮着火式エンジンにおいて、
前記ＥＧＲガス還流部は、前記エンジン本体の吸気通路を経由して前記燃焼室に前記ＥＧＲガスを還流し、
前記第１燃料供給部が、前記吸気通路における前記ＥＧＲガスの還流部位よりも下流側に位置する吸気ポートに前記第１燃料を供給する圧縮着火式エンジン。
【請求項６】
請求項１〜５のいずれか１つに記載の圧縮着火式エンジンにおいて、
前記燃焼室に連通する吸気ポートの開口を開閉する吸気弁、及び当該吸気弁の開閉時期を調整すると共に、前記制御部によって制御される吸気動弁部、を更に備え、
前記低負荷領域では、前記制御部が前記吸気動弁部を制御して、前記吸気弁の開弁期間における吸気下死点から閉時期までの閉じ側期間を、前記エンジン本体の高負荷領域よりも長くする圧縮着火式エンジン。
【請求項７】
請求項１〜６のいずれか１つに記載の圧縮着火式エンジンにおいて、
前記第１燃料はナフサを含み、前記第２燃料はディーゼル燃料を含む圧縮着火式エンジン。
【請求項８】
請求項１〜６のいずれか１つに記載の圧縮着火式エンジンにおいて、
前記第１燃料はガソリンを含み、前記第２燃料はディーゼル燃料を含む圧縮着火式エンジン。
【発明の詳細な説明】
【技術分野】
【０００１】
ここに開示する技術は、圧縮着火式エンジンに関する。
【背景技術】
【０００２】
特許文献１には、ディーゼルエンジンが記載されている。このディーゼルエンジンは、高コストな選択還元型触媒システムを省略することを目的として、三元触媒を用いた排気ガス浄化システムを備えている。三元触媒を用いて排気ガスを浄化するために、このディーゼルエンジンは、ディーゼル燃料を燃焼室内に噴射する噴射孔の大きさと噴射圧力とを調整する。これにより、燃焼室内の全体にディーゼル燃料を拡散させて理論空燃比の混合気を形成すると共に、その混合気を圧縮着火によって燃焼させる。
【０００３】
特許文献２には、二次燃料としてのガソリンを、気化器を通じて吸気通路に導入すると共に、燃焼室内にディーゼル燃料を噴射するディーゼルエンジンが記載されている。特許文献２には、ディーゼル燃料とガソリンとの割合として、総燃料量に対しディーゼル燃料を５０％以上にすることが記載されている。
【０００４】
特許文献３には、気化したナフサを、吸気通路を通じて燃焼室内に供給すると共に、液体ナフサを、燃焼室内に噴射するディーゼルエンジンが記載されている。特許文献３には、吸気通路を通じて燃焼室内に供給するナフサの量は、総燃料量に対し５０％を超えないようにすることが記載されている。
【先行技術文献】
【特許文献】
【０００５】
【特許文献１】特許第５６２０７１５号公報
【特許文献２】英国特許第７１４６７２号明細書
【特許文献３】英国特許第８２１７２５号明細書
【発明の概要】
【発明が解決しようとする課題】
【０００６】
特許文献１に記載されたディーゼルエンジンは、燃焼室内の全体にディーゼル燃料を拡散することによって、理論空燃比の混合気の形成及び燃焼を行う。しかしながら、ディーゼル燃料は気化し難いため、特許文献１に記載されたディーゼルエンジンでは、燃焼室内に、燃料濃度が局所的に濃くなる部分が発生してしまうという問題がある。燃料濃度が局所的に濃くなると、燃焼室内において煤及び一酸化炭素（ＣＯ）が発生してしまう。
【０００７】
ここに開示する技術はかかる点に鑑みてなされたものであり、その目的とするところは、煤及びＣＯの発生等、エミッションの低減が可能で、良好な運転が実現できる圧縮着火式エンジンを提供することにある。
【課題を解決するための手段】
【０００８】
具体的に、ここに開示する技術は、圧縮着火式エンジンに係る。この圧縮着火式エンジンは、燃焼室を有するエンジン本体と、前記燃焼室に、第１燃料を供給するよう構成された第１燃料供給部と、圧縮着火に至る圧力及び温度の少なくとも一方が前記第１燃料よりも低くかつ、前記第１燃料よりも気化しにくい第２燃料を、前記燃焼室に供給するよう構成された第２燃料供給部と、前記燃焼室から排出される排気ガスをＥＧＲガスとして、当該燃焼室に還流するＥＧＲガス還流部と、少なくとも前記第１燃料供給部、前記第２燃料供給部、及び前記ＥＧＲガス還流部を制御する制御部と、を備える。
【０００９】
前記エンジン本体が運転する負荷の低い低負荷領域では、前記第１燃料及び前記第２燃料の各燃料のうち、少なくとも前記第１燃料が前記燃焼室に供給される。そして、前記低負荷領域では、ＥＧＲ率が、前記エンジン本体が運転する負荷の高い高負荷領域よりも高くされる。
【００１０】
ここでの「ＥＧＲ率」は、前記燃焼室に充填されるガスの全量に対するＥＧＲガスの量の比率であり、後述する「空燃比」は、前記燃焼室に充填される燃料量に対する空気量の比率、いわゆる「Ａ／Ｆ」である。
【００１１】
この構成によると、圧縮着火式エンジンは、第１燃料供給部と第２燃料供給部とを備えている。燃焼室には、第１燃料と第２燃料との二種類の燃料が供給される。第２燃料は、圧縮着火に至る圧力及び温度の少なくとも一方が第１燃料よりも低くかつ、第１燃料よりも気化しにくい。前記第１燃料は、前記第２燃料に対して沸点が低い燃料である、としてもよい。
【００１２】
すなわち、第１燃料は、第２燃料よりも気化しやすいという燃料特性を有している。対して、第２燃料は、第１燃料よりも圧縮着火しやすいという燃料特性を有している。従って、燃料特性がこのように異なる燃料を組み合わせ、それぞれの特性を活かすことで、エンジンの運転領域の広い範囲において適切な燃焼が実現できる。
【００１３】
また、低負荷領域は、高負荷領域に比べると、燃焼に必要な空気量も少ない。そこで、低負荷領域では、燃焼室に、温度の高いＥＧＲガスを導入する。その結果、ＥＧＲガスが持つ熱量により、燃焼室の温度を高めることができ、燃焼室の中の混合気を着火し易くできる。従って、燃費の向上が図れる。
【００１４】
ＥＧＲガスの導入量を調整し、ＥＧＲガスの量が多くなるよう、ＥＧＲ率を高負荷領域よりも高く設定し、空燃比を、実用的な理論空燃比に相当する１４．５〜１５．０の範囲に調整すれば、三元触媒の利用によって排気ガスを効果的に浄化できるようになるので、エミッションを効果的に低減できる。
【００１５】
第１燃料は気化しやすいため、温度の高い多量のＥＧＲガスと混合することで、燃焼室の中に形成される混合気の均質化を促進できる。混合気の均質化により、煤やＣＯの発生が抑制されるので、エミッションの低減が図れる。
【００１６】
前記制御部が、前記低負荷領域において、前記燃焼室の空燃比が１４．５〜１５．０の範囲内となるように、前記ＥＧＲガス還流部を制御するとともに、前記エンジン本体に要求される負荷の増加に応じて、前記燃焼室の空燃比が１４．５〜１５．０の範囲内となるように、前記ＥＧＲガス還流部を制御して前記ＥＧＲガスの量を減少させる、としてもよい。
【００１７】
負荷が増加すれば、それだけ燃焼に必要とされる空気量も増加する。従って、その空気量の増加に応じて、還流するＥＧＲガスの量を減少させれば、それによって空気量の調整が行えるので、空燃比を安定して１４．５〜１５．０の範囲内に保持できる。空燃比を１４．５〜１５．０の範囲内に保持できれば、三元触媒の利用によってエミッションを効果的に低減できる。
【００１８】
前記エンジン本体の排気通路に三元触媒が配設され、前記制御部が、前記ＥＧＲガス還流部を制御して、排気空燃比が理論空燃比となるように前記エンジン本体に要求される負荷の増加に応じて、前記ＥＧＲガスの量を減少させる、としてもよい。
【００１９】
三元触媒によれば、排気ガスのＣＯ、ＨＣ及びＮＯｘを浄化することができる。従って、エミッション性能がさらに向上する。尚、１４．５〜１５．０の空燃比範囲は、三元触媒の浄化ウインドウに相当するが、排気ガスの空燃比を理論空燃比にすれば、三元触媒の浄化はより確実なものとなる。
【００２０】
前記ＥＧＲガス還流部は、前記エンジン本体の吸気通路を経由して前記燃焼室に前記ＥＧＲガスを還流し、前記第１燃料供給部が、前記吸気通路における前記ＥＧＲガスの還流部位よりも下流側に位置する吸気ポートに前記第１燃料を供給する、としてもよい。
【００２１】
気化しやすいという第１燃料の燃料特性を活用し、エミッションの更なる低減を図る。すなわち、ＥＧＲガスを吸気通路に導入し、第１燃料をその下流側の吸気ポートから供給すれば、温度の高いＥＧＲガスを含んだ吸気の流動に第１燃料が混合される。その後に、その混合気が燃焼室に導入されるので、第１燃料の気化が促進され、燃焼室の中に形成される混合気の均質化をよりいっそう促進できる。その結果、煤やＣＯの発生等、エミッションが更に低減され、排気性能の向上が図れる。
【００２２】
前記燃焼室に連通する吸気ポートの開口を開閉する吸気弁、及び当該吸気弁の開閉時期を調整すると共に、前記制御部によって制御される吸気動弁部、を更に備え、前記低負荷領域では、前記制御部が前記吸気動弁部を制御して、前記吸気弁の開弁期間における吸気下死点から閉時期までの閉じ側期間を、前記エンジン本体の高負荷領域よりも長くする、としてもよい。
【００２３】
要するに、相対的に低負荷な領域では、吸気遅閉じ制御を行うことにより、相対的に高負荷な領域よりも、圧縮行程で吸気弁が開いている期間を長くする。そうすることで、有効圧縮比が小さくなるので、ポンプ損失が低減され、燃費の向上が図れる。燃焼室に導入する空気量を少なく調整することができるので、低負荷領域にとって有利である。
【００２４】
前記第１燃料はナフサを含み、前記第２燃料はディーゼル燃料を含む、としてもよい。
【００２５】
ナフサは、ディーゼル燃料と比較して気化しやすいため、燃焼室内に均質な混合気を形成する上で有利である。ディーゼル燃料は、ナフサと比較して着火しやすいため、混合気は、適切なタイミングで圧縮着火することができる。また、ナフサは、比較的安価であるため、ナフサの利用は、経済性に優れる。
【００２６】
前記第１燃料はガソリンを含み、前記第２燃料はディーゼル燃料を含む、としてもよい。
【００２７】
前記と同様に、燃焼室内に均質な混合気を形成することができると共に、混合気を、適切なタイミングで圧縮着火させることができる。なお、従来のディーゼルエンジンでは、過給能力を高めて燃焼時の空燃比をリーンとし、煤やＣＯ、ＮＯｘの低減を図る必要があったものの、本構成では、第１燃料の供給により、混合気の空燃比を１４．５〜１５．０の範囲とすることができ、三元触媒との組み合わせによって、従来のように過給に頼らなくても、煤やＣＯの低減とともに、ＮＯｘの低減を図ることができる。よって、過給機を装着しない安価なエンジンを提供することもできる。
【発明の効果】
【００２８】
以上説明したように、前記の圧縮着火式エンジンによると、圧縮着火式エンジンのエミッション性能が向上すると共に、良好な運転が行える。
【図面の簡単な説明】
【００２９】
【図１】図１は、エンジンシステムの構成を例示する概略図である。
【図２】図２は、エンジンシステムの制御に関する構成を例示するブロック図である。
【図３】図３は、燃料噴射タイミングを例示する図である。
【図４】図４は、エンジンシステムの好適な運転領域を例示する図である。
【図５】図５は、吸気遅閉じ制御を説明する図である。
【図６】図６は、エンジンシステムの制御の具体例を示すフローチャートである。
【図７】図７は、エンジンシステムの主な諸元を示す図である。
【図８】図８は、実施例に係る、図示平均有効圧（ＩＭＥＰ）と、図示燃料消費率（ｇｒｏｓｓ ＩＳＦＣ）との関係を例示する図である。
【図９】図９は、実施例に係る、図示平均有効圧（ＩＭＥＰ）と、ＮＯｘ排出量との関係を例示する図である。
【発明を実施するための形態】
【００３０】
以下、圧縮着火式エンジンの実施形態を図面に基づいて詳細に説明する。以下の説明は、圧縮着火式エンジンの一例である。
【００３１】
図１は、エンジンシステムの概略構成を示している。図２は、エンジンシステムの制御に係る構成を例示している。エンジンシステムは、四輪車両に搭載される。ここに開示するエンジンシステムは、例えば大型トラック等の大型車両に適している。但し、ここに開示するエンジンシステムは、車両の大きさに関わらず、様々な四輪車両に広く適用することが可能である。
【００３２】
エンジンシステムは、圧縮着火式エンジンとしてのディーゼルエンジン１を備えている。ディーゼルエンジン１が運転することによって、車両が進む。
【００３３】
このエンジンシステムは、ディーゼルエンジン１に、ディーゼル燃料（つまり、軽油又は軽油を主成分とした燃料）と、ディーゼル燃料とは特性が相違する異種燃料とを供給するよう構成されている。異種燃料は、圧縮着火に至る圧力及び温度の少なくとも一方がディーゼル燃料よりも高くかつ、沸点がディーゼル燃料よりも低い特性を有している。異種燃料は、ディーゼル燃料よりも気化しやすく、ディーゼル燃料よりも着火しにくい。異種燃料は、第１燃料に対応し、ディーゼル燃料は、第２燃料に対応する。異種燃料は、主にトルク生成用の燃料である。ディーゼル燃料は、主に着火用の燃料である。
【００３４】
異種燃料は、具体的にはナフサである。このエンジンシステムに使用可能なナフサは、軽質ナフサ、重質ナフサ、及び、ホールレンジナフサを含む。軽質ナフサ、重質ナフサ、及び、ホールレンジナフサは、沸点範囲が相違する。また、ナフサに、原油あるいは重油を少量混入した変成ナフサを、このエンジンシステムに使用してもよい。
【００３５】
前記の異種燃料は、ナフサ以外に、ガソリンとしてもよい。また、異種燃料は、一種類の燃料とは限らず、二種類以上の燃料を混合した燃料としてもよい。例えばナフサとガソリンとの混合燃料、ナフサと他の燃料との混合燃料、又は、ガソリンと他の燃料との混合燃料を、異種燃料として使用してもよい。
【００３６】
尚、以下においては、ディーゼル燃料とナフサとを、ディーゼルエンジン１に供給するとして、エンジンシステムの説明をする。
【００３７】
＜エンジンシステムの構成＞
ディーゼルエンジン１は、複数のシリンダ１１ａ（図１においては、一つのみ図示）が設けられたシリンダブロック１１と、このシリンダブロック１１上に配設されたシリンダヘッド１２と、シリンダブロック１１の下側に配設され、潤滑油が貯溜されたオイルパン１３とを有している。ディーゼルエンジン１の各シリンダ１１ａ内には、ピストン１４が、シリンダ中心軸に沿って往復動するよう嵌挿されている。ピストン１４は、コンロッド１４ｂを介してクランクシャフト１５と連結されている。ピストン１４の頂面にはリエントラント形の燃焼室１４ａを区画するキャビティが形成されている。ディーゼルエンジン１は、その幾何学的圧縮比が１３以上１８以下に構成されている。
【００３８】
シリンダヘッド１２には、シリンダ１１ａ毎に吸気ポート１６及び排気ポート１７が形成されている。吸気ポート１６には、燃焼室１４ａの開口を開閉する吸気弁２１が配設されている。排気ポート１７には、燃焼室１４ａの開口を開閉する排気弁２２が配設されている。
【００３９】
ディーゼルエンジン１は、吸気弁２１を駆動する動弁機構として、バルブタイミングを可変にする吸気Ｓ-ＶＴ（Sequential-Valve Timing）７１を備えている（図２参照）。吸気Ｓ-ＶＴ７１は、液圧式又は電動式といった、公知の様々な構成を採用することができる。ディーゼルエンジン１は、運転状態に応じて、吸気弁２１のバルブタイミングを変更する。吸気Ｓ-ＶＴ７１は、「吸気動弁部」を構成する。
【００４０】
シリンダヘッド１２には、第１燃料供給部としてのナフサ用インジェクタ１９と、第２燃料供給部としてのディーゼル燃料用インジェクタ１８とが取り付けられている。
【００４１】
ナフサ用インジェクタ１９は、吸気ポート１６の中に、ナフサを噴射するよう構成されている。つまり、ナフサ用インジェクタ１９は、ナフサを噴射する噴孔が、各シリンダ１１ａの吸気ポート１６の中に臨むように配設されている。ナフサ用インジェクタ１９には、第１燃料タンク１９１に貯留しているナフサが、図示を省略するナフサ供給経路を通じて供給される。
【００４２】
ディーゼル燃料用インジェクタ１８は、燃焼室１４ａの中に、ディーゼル燃料を直接噴射するよう構成されている。つまり、ディーゼル燃料用インジェクタ１８は、ディーゼル燃料を噴射する噴孔が、シリンダヘッド１２の底面からシリンダ１１ａの中に臨むように配設されている。尚、図例では、ディーゼル燃料用インジェクタ１８を、シリンダ１１ａの中心軸上に配設しているが、ディーゼル燃料用インジェクタ１８の配設位置は、適宜の位置にすることができる。ディーゼル燃料用インジェクタ１８には、第２燃料タンク１８１に貯留しているディーゼル燃料が、図示を省略するディーゼル燃料供給経路を通じて供給される。
【００４３】
シリンダヘッド１２にはまた、着火アシスト装置が取り付けられている。着火アシスト装置は、ディーゼルエンジン１が特定の運転状態にあるときに、混合気の着火をアシストする。着火アシスト装置は、具体的には、火花点火により混合気を着火する点火装置２０である。点火装置２０は、詳細な図示は省略するが、電極が、燃焼室１４ａ内に臨んで配設されている。着火アシスト装置は、点火装置に代えて、シリンダ１１ａ内の空気を暖めることによって燃料の着火性を高めるグロープラグとしてもよい。
【００４４】
ディーゼルエンジン１の一側面には、吸気通路３０が接続されている。吸気通路３０は、各シリンダ１１ａの吸気ポート１６に連通している。吸気通路３０は、各シリンダ１１ａに、空気及びＥＧＲガスを導入する。ディーゼルエンジン１の他側面には、排気通路４０が接続されている。排気通路４０は、各シリンダ１１ａの排気ポート１７に連通している。排気通路４０は、各シリンダ１１ａから既燃ガスを排出する。これら吸気通路３０及び排気通路４０には、詳しくは後述するが、空気を過給するターボ過給機６１が配設されている。
【００４５】
吸気通路３０の上流端部には、空気を濾過するエアクリーナ３１が配設されている。吸気通路３０における下流端近傍には、サージタンク３３が配設されている。このサージタンク３３よりも下流側の吸気通路３０は、シリンダ１１ａ毎に分岐する独立通路を構成する。各独立通路の下流端が各シリンダ１１ａの吸気ポート１６に接続されている。
【００４６】
吸気通路３０におけるエアクリーナ３１とサージタンク３３との間には、ターボ過給機６１のコンプレッサ６１ａと、コンプレッサ６１ａにより圧縮された空気を冷却するインタークーラ３５と、空気量を調節するスロットル弁３６とが配設されている。インタークーラ３５は、空冷式又は水冷式に構成すればよい。スロットル弁３６は、基本的には全開状態であるが、例えば大量のＥＧＲガスを吸気通路３０に還流するときには、吸気通路３０に負圧を発生させるために絞られる。
【００４７】
排気通路４０の上流側の部分は、排気マニホールドによって構成されている。排気マニホールドは、シリンダ１１ａ毎に分岐して排気ポート１７の外側端に接続された複数の独立通路と、複数の独立通路が集合する集合部と、を有している。
【００４８】
排気通路４０における排気マニホールドよりも下流側には、上流側から順に、ターボ過給機６１のタービン６１ｂと、排気ガス中の有害成分を浄化する排気浄化装置４１と、サイレンサ４２とが配設されている。
【００４９】
排気浄化装置４１は、三元触媒４１ａを有している。三元触媒４１ａは、排気ガス中の、炭化水素（ＨＣ）、一酸化炭素（ＣＯ）及び窒素酸化物（ＮＯｘ）を同時に浄化する。三元触媒４１ａは、炭化水素を水と二酸化炭素とに酸化し、一酸化炭素を二酸化炭素に酸化し、窒素酸化物を窒素に還元する。三元触媒４１ａは、排気ガスの空燃比（空気と燃料との重量比）が、理論空燃比にあるときに十二分に排気ガスを浄化できるが、空燃比が１４．５〜１５．０の略理論空燃比の浄化ウインドウにあるときでも、排気ガスを浄化することが可能である。
【００５０】
尚、排気浄化装置４１は、三元触媒４１ａに加えて、排気ガス中に含まれる煤等の微粒子を捕集するパティキュレートフィルタを有するようにしてもよい。
【００５１】
吸気通路３０と排気通路４０との間には、排気ガス還流通路５１が介設している。排気ガス還流通路５１は、排気ガスの一部を吸気通路３０に還流する。排気ガス還流通路５１の上流端は、排気通路４０における排気マニホールドとタービン６１ｂとの間の部分（つまりタービン６１ｂよりも上流側部分）に接続されている。排気ガス還流通路５１の下流端は、吸気通路３０におけるサージタンク３３とスロットル弁３６との間の部分（つまり、コンプレッサ６１ａよりも下流側部分）に接続されている。排気ガス還流通路５１には、排気ガスの吸気通路３０への還流量を調整するためのＥＧＲ弁５１ａ及び排気ガスをエンジン冷却水によって冷却するためのＥＧＲクーラ５２が配設されている。排気ガス還流通路５１及びＥＧＲ弁５１ａは、「ＥＧＲガス還流部」を構成する。
【００５２】
ターボ過給機６１は、吸気通路３０に配設されたコンプレッサ６１ａと、排気通路４０に配設されたタービン６１ｂとを有している。コンプレッサ６１ａとタービン６１ｂとは互いに連結されており、コンプレッサ６１ａとタービン６１ｂとは一体に回転する。コンプレッサ６１ａは、吸気通路３０におけるエアクリーナ３１とインタークーラ３５との間に配設されている。タービン６１ｂは、排気通路４０における排気マニホールドと排気浄化装置４１との間に配設されている。タービン６１ｂが排気ガス流により回転することによって、コンプレッサ６１ａが回転し、空気を圧縮する。
【００５３】
排気通路４０には、タービン６１ｂをバイパスする排気バイパス通路６５が接続されている。排気バイパス通路６５には、排気バイパス通路６５を流れる排気量を調整するためのウエストゲート弁６５ａが配設されている。ウエストゲート弁６５ａは、無通電時には全開状態（ノーマルオープン）となるように構成されている。
【００５４】
＜エンジンの制御装置の構成＞
図１及び図２に示すように、ディーゼルエンジン１は、パワートレイン・コントロール・モジュール（以下、ＰＣＭという）１０によって制御される。ＰＣＭ１０は、ＣＰＵ、メモリ、カウンタタイマ群、インターフェース及びこれらのユニットを接続するパスを有するマイクロプロセッサで構成されている。このＰＣＭ１０が制御装置（及び制御部）を構成する。ＰＣＭ１０には、図２に示すように、様々なセンサの検出信号が入力される。ここに含まれるセンサは、エンジン冷却水の温度を検出する水温センサＳＷ１、サージタンク３３に取り付けられて、燃焼室１４ａに供給される空気の圧力を検出する過給圧センサＳＷ２、空気の温度を検出する吸気温度センサＳＷ３、クランクシャフト１５の回転角を検出するクランク角センサＳＷ４、車両のアクセルペダル（図示省略）の操作量に対応したアクセル開度を検出するアクセル開度センサＳＷ５、三元触媒４１ａの上流側と下流側の排気通路に取り付けられ、排気中の酸素濃度を検出するＯ２センサＳＷ６、排気通路４０におけるタービン６１ｂよりも上流側における排気圧力を検出する排気圧力センサＳＷ７、吸気通路３０内に吸入される吸気流量を検出するエアフローセンサＳＷ８、ＥＧＲ弁５１ａの開度を検出するＥＧＲ弁開度センサＳＷ９、吸気弁２１の位相角を検出する吸気弁位相角センサＳＷ１０、及び、ウエストゲート弁６５ａの開度を検出するウエストゲート弁開度センサＳＷ１１である。
【００５５】
ＰＣＭ１０は、これらのセンサＳＷ１〜ＳＷ１１の検出信号に基づいて種々の演算を行うことにより、ディーゼルエンジン１や車両の状態を判定すると共に、ディーゼル燃料用インジェクタ１８、ナフサ用インジェクタ１９、点火装置２０、吸気Ｓ-ＶＴ７１、スロットル弁３６、ＥＧＲ弁５１ａ、及び、ウエストゲート弁６５ａそれぞれのアクチュエータへ制御信号を出力する。
【００５６】
＜エンジンの基本的な制御＞
ＰＣＭ１０によるディーゼルエンジン１の基本的な制御は、主にアクセル開度に基づいて目標トルクを決定し、ディーゼル燃料用インジェクタ１８及びナフサ用インジェクタ１９に、目標トルクに対応する燃料の噴射を実行させることである。
【００５７】
ＰＣＭ１０はまた、ディーゼルエンジン１の運転状態に応じて、シリンダ１１ａ内へ導入する空気量を調整する。具体的にＰＣＭ１０は、スロットル弁３６やＥＧＲ弁５１ａの開度の制御（つまり、ＥＧＲ制御）、及び／又は、吸気Ｓ-ＶＴ７１による吸気弁２１のバルブタイミングの制御（つまり、吸気遅閉じ制御）を行うことにより、空気量を調整する。吸気弁２１を、圧縮行程の中期（圧縮行程のクランク角１８０°を三等分した前期、中期、後期とした場合の中期）の、吸気下死点後６０°〜１２０°の範囲内で閉弁（吸気弁２１のリフト高さが０．４ｍｍｍ時点を閉弁時期と定義）する遅閉じ制御を行うと、ポンプ損失を増やすことなく、シリンダ１１ａ内へ導入する空気量を調整することができる。また、ＥＧＲガスを還流させると、シリンダ１１ａ内へ導入する空気量を調整することができる他に、シリンダ１１ａ内の温度を高めて（吸気遅閉じ制御による有効圧縮比の低下に伴って、圧縮上死点付近でのシリンダ１１ａ内の温度上昇が不足するものの、これを補完して）混合気の着火性を高めることができる。さらには、シリンダ１１ａ内の温度が高くなる高負荷域において、ＥＧＲガスを還流させると、ＥＧＲクーラ５２内を流通した低温の不活性ガスが燃焼室１４ａに還流されるため、混合気（ナフサ）の過早着火が抑えられ、高いエンジントルクが生成できる適正な着火時期で混合気を着火させることができる。
【００５８】
ＰＣＭ１０はさらに、Ｏ２センサＳＷ６が検出した排気中の酸素濃度と、エアフローセンサＳＷ８が検出した吸気流量とに基づいて、空気量及び燃料量の調整を行う空燃比フィードバック制御を行う。ＰＣＭ１０は、燃焼室１４ａ内の混合気の空燃比（つまり、燃焼室１４ａ内の空気（Ａ）と燃料（Ｆ）との重量比（Ａ／Ｆ））を略理論空燃比（１４．５〜１５．０）にし、燃焼室１４ａから排出する排気ガスの空燃比を理論空燃比にする。尚、ここでいう燃料量は、ディーゼル燃料及びナフサの両方を含む全燃料量である。また、Ａ／Ｆ＝１４．５〜１５．０は、三元触媒４１ａの浄化ウインドウに相当する空燃比である。このエンジンシステムは、ディーゼルエンジン１の運転領域の全域に亘って、空燃比フィードバック制御を行う。このことによってエンジンシステムは、ディーゼルエンジン１の運転領域の全域に亘って、三元触媒４１ａを利用した排気ガスの浄化を行う。
【００５９】
尚、燃焼室１４ａから排出する排気ガスの空燃比を、三元触媒４１ａの浄化ウインドウに相当する空燃比であるＡ／Ｆ＝１４．５〜１５．０の範囲としても良い。
【００６０】
＜燃料噴射制御＞
次に、ＰＣＭ１０が実行する燃料噴射制御について説明をする。前述したように、このエンジンシステムは、主にトルク生成用のナフサと、主に着火用のディーゼル燃料とをディーゼルエンジン１に供給する。ナフサの供給重量と、ディーゼル燃料の供給重量とを比較したときに、ナフサの供給重量の方が、ディーゼル燃料の供給重量よりも多い。ディーゼル燃料は、燃焼室１４ａに供給する全燃料量に対して、重量比で１０％以下にする。ディーゼル燃料は、例えば、全燃料重量に対して５％としてもよい。
【００６１】
ナフサは、ディーゼル燃料よりも沸点が低いため、燃焼室１４ａ内において気化しやすい。そこで、ナフサによって燃焼室１４ａ内に、均質かつ、理論空燃比に近い混合気を形成する。これによって、煤の発生を抑制すると共に、ＣＯの発生を抑制する。
【００６２】
一方で、ナフサは、圧縮着火に至る圧力及び温度の少なくとも一方がディーゼル燃料よりも高い。つまり、ナフサは、着火性が低い。前述したように、ディーゼルエンジン１は、幾何学的圧縮比が１３以上１８以下の低い圧縮比に構成されており、燃料の着火には不利である。
【００６３】
そこで、このエンジンシステムでは、着火性に優れたディーゼル燃料を、燃焼室１４ａ内に供給する。ディーゼル燃料は、着火用燃料として機能するから、混合気は、所定のタイミングで確実に圧縮着火することができる。ナフサ及びディーゼル燃料を含む混合気が、燃焼する。
【００６４】
図３は、所定のエンジン回転数における、ナフサ及びディーゼル燃料の噴射タイミングを例示している。吸気ポート１６に取り付けられたナフサ用インジェクタ１９は、吸気弁２１が開いている吸気行程期間に、吸気ポート１６内にナフサを噴射する。ナフサの噴射タイミングは、吸気行程の中期から前期の期間内に設定すればよい。ここで、吸気行程の前期及び中期はそれぞれ、吸気行程を、前期、中期及び後期の三つの期間に三等分したときの、前期及び中期とすればよい。吸気行程の中期から前期の期間は、シリンダ１１ａ内の吸気流動が高くなる。この期間にナフサを噴射することによって、吸気流動を利用して、ナフサを、燃焼室１４ａ内の全体に拡散させることができると共に、混合気を均質化することが可能になる。
【００６５】
燃焼室１４ａ内に臨んで取り付けられたディーゼル燃料用インジェクタ１８は、圧縮行程期間に、燃焼室１４ａ内にディーゼル燃料を噴射する。ディーゼル燃料の噴射タイミングは、圧縮上死点付近、具体的には、圧縮上死点前３０〜１０°ＣＡの期間内に設定すればよい。こうすることで、圧縮上死点付近において混合気が圧縮着火し、燃焼を開始することができる。この燃焼の燃焼重心が、圧縮上死点後５〜１０°ＣＡとなるようにすれば、ディーゼルエンジン１の熱効率が高まる。尚、前述したように、ディーゼルエンジン１の幾何学的圧縮比が低いため、ディーゼル燃料を噴射する前に、ナフサを含む混合気が過早着火してしまうことを回避することができる。ディーゼル燃料の噴射タイミングを調整することによって、混合気が圧縮着火するタイミングを調整することができる。
【００６６】
＜エンジンの運転領域＞
図４に、ディーゼルエンジン１の好適な運転領域の一例を示す。縦軸はエンジン負荷（ＩＭＥＰ）を、横軸はエンジン回転数を、それぞれ表している。ディーゼルエンジン１の運転領域は、出力が要求される負荷の高低及び回転数の高低に対し、大略、冷間領域（ＣＳ領域）、低負荷領域（Ｐ領域）、中負荷領域（Ｓ１領域）、及び高負荷領域（Ｓ２）からなる４つの領域に分けられている。ＰＣＭ１０には、このような運転領域をデータ化したマップが実装されていて、ＰＣＭ１０は、そのマップに基づいて、これら領域に応じた制御を実行する。
【００６７】
（冷間領域：ＣＳ領域）
冷間領域は、ディーゼルエンジン１が出力する負荷及び回転数が最も低い領域である。例えば、強制始動時（搭乗者がキーやボタンを操作して、ディーゼルエンジン１を始動する時）や、寒冷地や極寒期等、ディーゼルエンジン１が始動はしても、ディーゼルエンジン１が暖まっていない状態、つまり冷機時の運転領域である。具体的には、水温センサＳＷ１によって検出されるエンジン冷却水の温度が、予め設定された基準温度（例えば、８０℃）以下である状態での運転領域に相当する。当然ながら、三元触媒４１ａも適正に機能する温度には達していない。
【００６８】
通常であれば、数十秒程度、ディーゼルエンジン１が運転されることで、回転数が安定し、エンジン冷却水の温度も基準温度に達する。回転数が安定すれば、ＰＣＭ１０は、三元触媒４１ａを早期に温め、かつ、空燃比が略理論空燃比に近づくように制御する。冷間領域では、安定した圧縮着火ができないので、ＰＣＭ１０は、燃料に安価なナフサのみを使用して燃料リッチな状態にし、点火装置２０を用いてその混合気を強制的に着火させることにより、燃焼を行う。
【００６９】
すなわち、このディーゼルエンジン１は、負荷の高い領域でナフサが自着火して過早着火するのを防止するために、幾何学的圧縮比が低く設定されている。そのため、低負荷領域では、圧縮着火しにくい。それに加え、冷機時は、燃焼室１４ａの温度が低いため、ディーゼル燃料及びナフサのいずれであっても、安定して圧縮着火させることができない。したがって、ＰＣＭ１０は、冷間領域においては、点火装置２０を用いて混合気を着火することで、強制的に燃焼させる。
【００７０】
着火による強制的な燃焼であれば、燃料特性は大きく影響しない。従って、その燃料には、ナフサ、ディーゼル燃料のいずれも利用できるが、このディーゼルエンジン１では、その燃料にナフサのみが使用される（ナフサが１００％）。
【００７１】
その理由としては、まず、ナフサは、ディーゼル燃料よりも気化しやすい。更に、ディーゼル燃料は、燃焼室１４ａに直接噴射されるため、燃焼室１４ａで均質な混合気を形成しにくいのに対し、ナフサは吸気ポート１６で噴射されるため、燃焼室１４ａでは均質な混合気を形成することができる。従って、ナフサは、ディーゼル燃料に比べて、均質な燃焼が行えるので、燃焼時に煤の発生を抑制できる利点がある。それにより、比較的多量のナフサを用い、燃料リッチな状態で燃焼させることができるので、高い燃焼熱を発生させることができる。その高い燃焼熱を利用することで、三元触媒４１ａの温度を速やかに適温まで上昇させることができる。
【００７２】
更に、ナフサはディーゼル燃料に比べると安価である。そのため、ディーゼル燃料よりもナフサの使用量を多くすれば、運転コストが削減でき、経済的にも有利である。ただし、ディーゼル燃料の使用を排除するものでない。強制的に点火するのであれば、ディーゼル燃料も使用できるため、燃料の一部にディーゼル燃料が含まれていてもよい。
【００７３】
このように、このディーゼルエンジン１では、冷機時には、比較的多量のナフサを燃焼室１４ａに供給し、燃料をリッチな状態とすることで（空燃比は１５以下）、煤等、エミッションの低減を促進しながら、高い燃焼熱を発生させる。それにより、三元触媒４１ａを早期に適温まで昇温させる。なお、冷機時はＥＧＲガスの温度が低いため、ＥＧＲガスを還流しても熱的には大きな効果は得られないが、空燃比の調整等の観点から、冷機時においても必要に応じてＥＧＲガスを還流してもよい。また、冷機時での吸気弁２１のバルブタイミングは、燃焼が効率的に行えるように、吸気行程中に吸気弁２１が大きく開かれる、基準の設定となっている。
【００７４】
そうして、三元触媒４１ａが適正に作動する温度に達すれば、ＰＣＭ１０は、その後は、空燃比が略理論空燃比となるように調整する。それにより、排気ガスが浄化され、エミッションが効果的に低減される。トルクも高まり、エンジン性能も向上する。
【００７５】
（低負荷領域：Ｐ領域）
低負荷領域は、冷間領域よりも負荷又は回転数が高い領域である。低負荷領域では、エンジン冷却水の温度は基準温度に達し、三元触媒４１ａも適正に機能できる温度となっている（いわゆる温間時）。ただし、低負荷領域におけるエンジン出力の負荷及び回転数は、ディーゼルエンジン１が運転可能な全運転領域の中では、依然として低い。
【００７６】
例えば、低負荷領域は、ディーゼルエンジン１が出力可能な最高負荷を二等分した時の低負荷側の領域であり、又、ディーゼルエンジン１が出力可能な最高回転数を二等分した時の低回転側の領域である。ディーゼルエンジン１が出力可能な最高負荷を三等分した時の最も低負荷側の領域、又は、ディーゼルエンジン１が出力可能な最高回転数を三等分した時の最も低回転側の領域である場合もある。
【００７７】
低負荷領域では、三元触媒４１ａが適正に機能し得る状態となっているので、ＰＣＭ１０は、エミッションの排出を抑制するため、燃焼室１４ａ内の混合気の空燃比が略理論空燃比（Ａ／Ｆが１４．５〜１５．０）となるように制御する。それにより、三元触媒４１ａに導入される排気ガスの空燃比も略理論空燃比となるので、排気ガスが効果的に浄化できる。
【００７８】
低負荷領域では、エンジン出力が小さいので、燃焼室１４ａへの燃料の供給量は少なく制御される。そのため、低負荷領域での燃焼室１４ａの中は高温になりにくく、圧縮着火を安定して行うのが難しい。したがって、ＰＣＭ１０は、冷間領域と同様に、低負荷領域においても、使用する燃料の割合（重量比）を、ディーゼル燃料よりもナフサの方が高くなるようにし（本実施形態では、冷間領域と同じナフサ１００％）、点火装置２０を用いて、その燃料の混合気を着火することで、強制的に燃焼させる。
【００７９】
燃料の供給量が少ないと、空燃比を略理論空燃比に保持するのに必要な空気量も少なくなる。そこで、ＰＣＭ１０は、燃焼室１４ａに多量のＥＧＲガスが導入されるように制御する。具体的には、ＥＧＲ率（燃焼室１４ａの中に存在する混合気のガス全ての質量に対するＥＧＲガスの質量の割合：％）が、高負荷領域よりも高い値（例えば、４０％）となるように調整する。
【００８０】
スロットル弁３６を絞ることによっても、空気量を少なく調整できるが、吸気の流動性悪化やポンプ損失などの不利がある。ＥＧＲ率による調整では、そのような不利がなく、燃焼室１４ａの中に、ナフサの均質な混合気を形成することができる。しかも、ＥＧＲガスが持つ熱量によって燃焼室１４ａの温度を高めることができるので、燃焼室１４ａ内の混合気が着火しやすくなる。従って、燃焼を安定して行える。
【００８１】
ナフサは、吸気ポート１６に供給され、吸気に混合された状態で燃焼室１４ａに導入される。ＥＧＲガスは、その吸気ポート１６よりも上流側に位置する吸気通路３０の部位（還流部位）に還流されるようになっている。従って、温度の高いＥＧＲガスが還流した吸気に、気化しやすいナフサが混合した状態で燃焼室１４ａに導入されることから、燃焼室１４ａの中には、より均質なナフサの混合気を形成することができる。
【００８２】
そうして、ＥＧＲガスの導入量を調整し、ＥＧＲ率を高く設定することで、空燃比を略理論空燃比、つまり１４．５〜１５．０の範囲に精度高く調整することが可能になる。その結果、三元触媒４１ａを利用してエミッションを効果的に低減できるようになる。負荷が増加すると、それに伴って燃料の供給量も増加する。空燃比を略理論空燃比に保持するためには、空気量を増やす必要がある。従って、負荷の増大に応じて、ＰＣＭ１０は、空気量が増える分、ＥＧＲガスも増やすだけでなく、ＥＧＲガス量を相対的に減少させるように制御するのが好ましい（ＥＧＲ率が低下）。
【００８３】
更に、低負荷領域では、空気量を少なく調整すると共に、ポンプ損失を低減するため、ＰＣＭ１０は、吸気弁２１のバルブタイミングを遅くする制御（吸気遅閉じ制御）を行う。
【００８４】
低負荷領域では、点火装置２０を用いた強制的な燃焼が行われて、圧縮着火が行われないので、燃焼室１４ａの圧力が比較的低くても安定した燃焼が行える。一方、低負荷領域では、ディーゼルエンジン１の出力が小さいので、ポンプ損失が相対的に大きくなり、燃費への影響が大きい。そこで、ＰＣＭ１０は、吸気Ｓ-ＶＴ７１を制御し、吸気弁２１の閉時期を遅くして、圧縮行程中での吸気弁２１の開弁期間を長くする。
【００８５】
詳しくは、図５に実線で示すように、吸気弁２１の開弁期間（吸気弁２１が開いている期間、燃焼室１４ａに吸気が導入可能な期間）のうち、その圧縮行程に位置する期間である、吸気下死点から閉時期までの閉じ側の期間（閉じ側期間）が長くなるように、吸気Ｓ-ＶＴ７１を制御し、吸気弁２１のバルブタイミングを遅くする。なお、図５の仮想線は、基準となるバルブタイミングを示しており、本実施形態では、その閉時期は吸気下死点後３０°ＣＡである。それに対し、遅閉じ制御により変更したバルブタイミングでの閉時期は、吸気下死点後９０°ＣＡとなっている。尚、吸気弁２１の閉弁時期は、吸気弁２１のリフト量が０．４ｍｍに低下した時点と定義する。
【００８６】
このように吸気遅閉じ制御を行うことで、有効圧縮比が小さくなり、ポンプ損失が低減される。従って、燃費の向上が図れる。また、燃焼室１４ａに導入する吸気量を少なく調整できるので、空気量が過剰気味の低負荷領域では有利である。
【００８７】
（中負荷領域：Ｓ１領域）
中負荷領域は、低負荷領域よりも、ディーゼルエンジン１から出力される負荷又は回転数が高い領域である。中負荷領域は、ディーゼルエンジン１の全運転領域の中では、中間に位置する運転領域であり、比較的燃焼に適した条件となっている。
【００８８】
例えば、中負荷領域は、ディーゼルエンジン１が出力可能な最高負荷を二等分した時の高負荷側の領域であり、又、ディーゼルエンジン１が出力可能な最高回転数を二等分した時の高回転側の領域である。ディーゼルエンジン１が出力可能な最高負荷を三等分した時の中間の領域、又は、ディーゼルエンジン１が出力可能な最高回転数を三等分した時の中間の領域である場合もある。
【００８９】
中負荷領域では、低負荷領域に比べてエンジン出力が高いため、その分、燃焼室１４ａにも多くの燃料が供給され、燃焼エネルギーも増加する。そのため、燃焼室１４ａの中は、このエンジンシステムの設計に基づく圧縮着火により、燃焼可能な状態となっている。
【００９０】
すなわち、このエンジンシステムでは、主たる燃料としてナフサを使用し、エンジンの運転状態に応じ、ディーゼル燃料を補助的に使用して着火を促進することで、圧縮着火が安定して行えるように設計されている。例えば、この実施形態のディーゼルエンジン１の中負荷領域では、重量割合で９５％のナフサと５％のディーゼル燃料とが燃焼室１４ａに供給され、圧縮着火により燃焼を行う。
【００９１】
低負荷領域よりもエンジン出力が大きい中負荷領域では、ポンプ損失に基づく燃費への影響は小さいので、吸気弁２１のバルブタイミングは、吸気下死点の側に移行するように進角制御されて、基準の設定に戻される。吸気遅閉じ制御は行われない。それにより、低負荷領域よりも燃焼室１４ａに導入される吸気量が増加し、効率的な燃焼が行える。有効圧縮比も大きくなって幾何学的圧縮比に近づくので、圧縮着火もしやすくなる。
【００９２】
中負荷領域での燃焼室１４ａ内の混合気の空燃比は、低負荷領域と同様に、ＥＧＲ率の調整によって略理論空燃比に保持される。それにより、効率的な燃焼が行えることから、エンジン出力も高まり、燃費の向上が図れる。三元触媒４１ａにより、排気ガスも効果的に浄化できる。なお、中負荷領域での吸気は、自然吸気でもよいし、ターボ過給機６１で過給してもよい。
【００９３】
なお、負荷が増加すると燃料の供給量が増加し、空燃比を略理論空燃比に保持するために、空気量を増やす必要がある。従って、中負荷領域においても、低負荷領域と同様に、負荷の増大に応じて、ＥＧＲガスの量を相対的に減少させるとよい。
【００９４】
（高負荷領域：Ｓ２領域）
高負荷領域は、中負荷領域よりも更にエンジン出力が高い領域である。高負荷領域は、ディーゼルエンジン１の全運転領域の中では、最も高負荷側にある。すなわち、高負荷領域は、中負荷領域よりも更に高負荷側又は高回転側に位置する領域である。
【００９５】
高負荷領域では、中負荷領域に連続して、トルク発生用のナフサと、着火用のディーゼル燃料との組み合わせによる、圧縮着火が行われる。点火装置２０による着火は行われない。高い出力を得るために、高負荷領域では、燃焼室１４ａに多量の燃料が供給される。空燃比を略理論空燃比に保持するため、その供給量に応じて空気も増量される。それに伴い、ＥＧＲ率は、中負荷領域よりも低下する（例えば３０％）。必要に応じて過給も行われる。吸気弁２１のバルブタイミングは、基準の設定であり、吸気遅閉じ制御は行われない。
【００９６】
高負荷領域でも、燃焼室１４ａ内の混合気の空燃比は略理論空燃比に保持されるので、高トルクが得られ、燃費の向上が図れるとともに、排気ガスを効果的に浄化できる。
【００９７】
＜エンジンの具体的な制御＞
図６に、ディーゼルエンジン１の具体的な制御の一例を示す。ＰＣＭ１０は、各センサＳＷ１〜ＳＷ１１の検知信号に基づいて、ディーゼルエンジン１の運転状態を判断する（ステップＳ１）。その判断結果と運転状態に関するマップとに基づき、ＰＣＭ１０は、ディーゼルエンジン１の運転状態が、冷間領域（ＣＳ領域）、低負荷領域（Ｐ領域）、中負荷領域（Ｓ１領域）、及び高負荷領域（Ｓ２）のいずれの運転領域にあるかを識別し、その識別結果に基づいて各運転領域に応じた燃焼制御を実行する。
【００９８】
その運転領域が冷間領域であると、ＰＣＭ１０が判断した場合（ステップＳ２でＹｅｓ）、ＰＣＭ１０はウエストゲート弁６５ａを開く（ステップＳ３）。それにより、燃焼室１４ａから排出される高温の排気ガスは、タービン６１ｂをバイパスし、そのまま三元触媒４１ａへと送られる。その結果、燃焼室１４ａで発生する燃焼熱を、三元触媒４１ａに効率的に作用させることができる。その結果、三元触媒４１ａは、早期に暖められる。
【００９９】
そうして、ＰＣＭ１０は、冷間領域に応じた燃焼条件に調整する（ステップＳ４）。具体的には、空燃比が理論空燃比以下（Ａ／Ｆが１５以下）、つまり燃料がリッチな状態で、燃料の総量がナフサのみとなるように制御する。
【０１００】
吸気弁２１のバルブタイミングは、吸気行程で吸気弁２１が大きく開かれる基準の設定とされており、吸気の流動の強いタイミングで、ナフサ用インジェクタ１９を駆動し、ナフサを吸気ポート１６の中に噴射する。それにより、燃焼室１４ａの中に、ナフサの均質でリッチな混合気を形成することができる。
【０１０１】
ＰＣＭ１０は、点火装置２０を作動させ、圧縮上死点近傍の所定のタイミングで着火する。そうすることで、混合気を強制的に燃焼させる（ステップＳ５）。このような燃焼により、冷間領域では、空燃比を略理論空燃比に近づけながら、三元触媒４１ａを早期に暖めることができる。
【０１０２】
ディーゼルエンジン１の運転領域が低負荷領域であると判断された場合（ステップＳ６でＹｅｓ）、ＰＣＭ１０は、その低負荷領域に応じた燃焼条件に調整する。
【０１０３】
ＰＣＭ１０は、ＥＧＲ弁の開度を制御し、ＥＧＲ率を４０％に調整する（ステップＳ７）。ＰＣＭ１０は、吸気Ｓ-ＶＴ７１を制御し、吸気弁２１の閉時期が所定の遅閉じタイミングとなるように、バルブタイミングを調整する（ステップＳ８）。そして、ＰＣＭ１０は、空燃比を略理論空燃比（Ａ／Ｆが１４．５〜１５．０）に保持しながら、ナフサ用インジェクタ１９を駆動する。ＰＣＭ１０はまた、燃料の総量がナフサのみとなるように制御し、吸気行程の流動の強いタイミングで、ナフサを吸気ポート１６の中に噴射する（ステップＳ９）。
【０１０４】
ＰＣＭ１０は、点火装置２０を駆動して、圧縮上死点近傍の所定のタイミングで着火する。そうすることで、混合気を強制的に燃焼させる（ステップＳ１０）。
【０１０５】
ディーゼルエンジン１の運転領域が中負荷領域であると判断された場合（ステップＳ１１でＹｅｓ）、ＰＣＭ１０は、中負荷領域に応じた燃焼条件に調整する。
【０１０６】
ＰＣＭ１０は、ＥＧＲ弁５１ａの開度を制御し、ＥＧＲ率を４０％に調整する（ステップＳ１２）。そして、ＰＣＭ１０は、空燃比を略理論空燃比に保持しながら、ナフサ用インジェクタ１９を駆動する。その際、ＰＣＭ１０は、ナフサが燃料の総量の９５％となるように制御し、吸気行程の流動の強いタイミングで、ナフサを吸気ポート１６の中に噴射する（ステップＳ１３）。
【０１０７】
ＰＣＭ１０はまた、同様に空燃比を略理論空燃比に保持しながら、ディーゼル燃料用インジェクタ１８を駆動し、ディーゼル燃料が燃料の総量の５％となるように制御し、圧縮行程後半の所定のタイミングで、ディーゼル燃料を燃焼室１４ａの中に直接噴射する（ステップＳ１４）。
【０１０８】
そうすることで、混合気は、圧縮上死点後の近傍で自着火して燃焼する。そのため、点火装置２０による着火は行われない。
【０１０９】
ディーゼルエンジン１の運転領域が高負荷領域であると判断された場合（ステップＳ１１でＮｏ）、ＰＣＭ１０は、高負荷領域に応じた燃焼条件に調整する。
【０１１０】
ＰＣＭ１０は、ＥＧＲ弁の開度を制御し、ＥＧＲ率を３０％〜０％の間で調整する（ステップＳ１５）。負荷が高いほど、空気量が必要となるので、ＥＧＲ率は低くなるように調整される。そして、ＰＣＭ１０は、空燃比を略理論空燃比に保持しながら、ナフサ用インジェクタ１９を駆動する。その際、ＰＣＭ１０は、ナフサが燃料の総量の９５％となるように制御し、吸気行程の流動の強いタイミングで、ナフサを吸気ポート１６の中に噴射する（ステップＳ１６）。
【０１１１】
ＰＣＭ１０はまた、同様に空燃比を略理論空燃比に保持しながら、ディーゼル燃料用インジェクタ１８を駆動し、ディーゼル燃料が燃料の総量の５％となるように制御し、圧縮行程後半の所定のタイミングで、ディーゼル燃料を燃焼室１４ａの中に直接噴射する（ステップＳ１７）。
【０１１２】
そうすることで、中負荷領域と同様に、高負荷領域においても、混合気は、圧縮上死点後の近傍で自着火して燃焼する。
【０１１３】
以上説明したように、このエンジンシステムは、トルク生成用のナフサと、着火用のディーゼル燃料とをディーゼルエンジン１に供給する。気化性能に優れたナフサによって、燃焼室１４ａ内の全体に、均質かつ理論空燃比に近い混合気を形成することによって、煤及びＣＯの発生を抑制することができる。また、燃焼室１４ａ内の混合気について、ナフサ及びディーゼル燃料の両方を含む燃料と空気との重量比（Ａ／Ｆ）を、略理論空燃比にすると共に、燃焼室１４ａから排出される排気ガスの空燃比を、理論空燃比にすることによって、排気通路４０に設けた三元触媒４１ａを利用して、排気ガスを浄化することができる。従来のディーゼルエンジンにおいて必要であったＮＯｘ浄化用の後処理システムを省略することができ、エンジンシステムの簡略化、及び、低コスト化が実現する。また、リーン運転をしていた従来のディーゼルエンジンに対し、前記のエンジンシステムは、混合気の空燃比を略理論空燃比にしているため、エンジントルクを向上させることができる。
【０１１４】
＜諸元例、検証結果＞
図７に、低負荷領域（Ｐ領域）、中負荷領域（Ｓ１領域）、及び高負荷領域（Ｓ２）での燃焼制御に関する主な諸元の一例を示す。なお、ここで示す数値は、例示であり、仕様に応じて変更可能である。また、各数値は、基準値を示しており、実用上は多少のばらつきを含み得る。
【０１１５】
その低負荷領域では、ＥＧＲ率が４０％とされ、比較的多量のＥＧＲガスが燃焼室１４ａに導入される。吸気弁２１の閉時期（ＩＶＣ）は、吸気遅閉じ制御が行われ、吸気下死点後の９０°ＣＡとされている。吸気遅閉じ制御による有効圧縮比の低下も加わって、安定した圧縮着火が困難なことから、点火装置２０による強制的な着火が行われ、燃料には、安価であることに加え、均質な混合気が形成でき、エミッションの低減に有利なナフサのみが用いられる。
【０１１６】
その中負荷領域では、ＥＧＲ率は、低負荷領域と同じ４０％とされ、比較的多量のＥＧＲガスが燃焼室１４ａに導入される。吸気弁２１の閉時期（ＩＶＣ）は、基準の設定に戻され、吸気下死点後の３０°ＣＡとされている。安定した圧縮着火が可能なことから、点火装置２０は使用せず、圧縮着火によって燃焼が行わる。主燃料であるナフサに、５％のディーゼル燃料を加えることで、安定した圧縮着火が行えるようにしている。そして、ＥＧＲクーラ５２により冷却された比較的低温の不活性ガス（ＥＧＲガス）が燃焼室１４ａに導入されるため、混合気着火後の急峻な燃焼の立ち上がりが抑制され、燃焼騒音の増大や、熱負荷の増大が抑制される。
【０１１７】
そして、その高負荷領域では、ＥＧＲ率は３０％とされ、効率的な燃焼を実現するため、空気量を相対的に増加させている。吸気弁２１の閉時期（ＩＶＣ）は、中負荷領域と同様に、吸気下死点後の３０°ＣＡとされ、安定した圧縮着火が可能なことから、圧縮着火によって燃焼が行われる。燃料には、中負荷領域と同様に、５％のディーゼル燃料と９５％のナフサが用いられる。そして、ＥＧＲクーラ５２により冷却された比較的低温の不活性ガス（ＥＧＲガス）が燃焼室１４ａに導入されるため、混合気（ナフサ）の過早着火が抑制され、高いエンジントルクが生成できる着火時期とすることができる。
【０１１８】
また、エンジン高速域でも、ＥＧＲ率は３０％とされ、効率的な燃焼を実現するため、空気量を相対的に増加させている。吸気弁２１の閉時期（ＩＶＣ）は、高速域で吸気充填量が多くできるタイミングとされており、吸気下死点後の４５°ＣＡ程度とされている。高速域では、吸気行程から圧縮行程までのクランク角経過時間が低速域に対して短くなるため、クランク角で見た場合の、吸気ポート１６を介してのナフサ供給期間が長くなる一方、ナフサ供給終了時点から圧縮上死点付近までの時間間隔は格段に短くなり、ナフサの均質混合気の形成が低下するものの、ＥＧＲガスの還流によるナフサの気化促進によって均質化の悪化が抑制され、煤の発生が無くなってエンジントルクを高めることができる。なお、高速域においても５％のディーゼル燃料と９５％のナフサが用いられるが、エンジン速度とナフサの供給から圧縮上死点付近までの時間間隔との兼ね合いから、最適な着火時期が得られない場合は、１００％のナフサを供給して、着火アシスト装置による強制的な着火を行っても良い。
【０１１９】
このように、高速域でＥＧＲガスを還流した場合は、主体燃料がディーゼル燃料の場合は煤が増大するためＥＧＲガスの還流が不可能であったものの、ナフサ主体の燃料供給においては、ＥＧＲガスの還流が効果的である。
【０１２０】
図８及び図９に、検証結果を示す。これら検証結果では、ここに開示するエンジンシステムに係る実施例と、従来のディーゼルエンジンシステムに係る従来例とを比較している。図８は、所定のエンジン回転数における、図示平均有効圧（ＩＭＥＰ）と、図示燃料消費率（ｇｒｏｓｓ ＩＳＦＣ）との関係を例示している。図８に示すように、実施例は、混合気の空燃比を略理論空燃比にしているため、低負荷、中負荷及び高負荷のそれぞれにおいて、リーン運転である従来例よりも図示燃料消費率が低下している。ここに開示するエンジンシステムは、従来のディーゼルエンジンシステムよりも、エンジントルクの向上、及び、燃費性能の向上を図ることができる。
【０１２１】
また、図９は、所定のエンジン回転数における、図示平均有効圧（ＩＭＥＰ）と、ＮＯｘ排出量との関係を例示している。従来例は、エンジン負荷が高くなると、燃焼室からのＮＯｘ排出量が増えている。これに対し、実施例は、三元触媒４１ａよりも下流の、テールパイプにおける排出量を示しているが、燃焼室１４ａから排出される排気ガスの空燃比を理論空燃比にすると共に、三元触媒４１ａによってＮＯｘを浄化しているため、ＮＯｘの排出量は、実質的にゼロである。従って、ここに開示するエンジンシステムは、エミッション性能が、従来のディーゼルエンジンシステムよりも向上している。
【０１２２】
また、ナフサは、ディーゼル燃料やガソリンと比較して製造コストが低く安価であるため、ナフサを利用する本エンジンシステムは、経済性に優れている。
【０１２３】
尚、ここに開示する技術は、前記の構成に限定されない。前記の構成においては、ディーゼルエンジン１の運転領域の全域に亘って、混合気の空燃比を略理論空燃比としているが、例えば燃料の総噴射量が少ない低負荷領域や軽負荷領域においては、混合気の空燃比を、理論空燃比よりも大幅に燃料リーン（例えばＡ／Ｆ＝３０〜４５）にしてもよい。空燃比を３０〜４５程度にすれば、燃焼室１４ａ内においてＮＯｘが生成することを抑制することができる。
【０１２４】
また、ディーゼルエンジン１が、特定の運転状態にあるときには、ナフサのみをディーゼルエンジン１に供給してもよい。この場合、混合気の着火性が低下するため、点火装置２０によって混合気を強制着火してもよい。
【０１２５】
さらに、前述の構成においては、ターボ過給機６１を装着しているが、必ずしもターボ過給機を装着しなくてもよい。すなわち、従来のディーゼルエンジンでは、過給機を装着して燃焼時の空燃比をリーンとし、煤やＣＯを低減するとともに、高コストな選択還元型触媒を用いてＮＯｘの低減を図る必要があったものの、あるいは、複数の過給機を装着して格段に過給圧を高め、燃焼時の空燃比を大幅にリーンとしつつ、エンジン本体の圧縮比も下げて燃焼温度を下げ、煤やＣＯ、ＮＯｘの低減を図る必要があったものの、本発明においては、第１燃料の供給により、混合気の空燃比を１４．５〜１５．０の範囲とすることができるため、三元触媒４１ａとの組み合わせにより、過給に頼らなくても、煤やＣＯの低減とともに、ＮＯｘも十二分に浄化できるため、過給機を装着しない安価なエンジンを提供することもできる。
【符号の説明】
【０１２６】
１  ディーゼルエンジン（エンジン本体）
１０  ＰＣＭ（制御部）
１４ａ  燃焼室
１６  吸気ポート
１８  ディーゼル燃料用インジェクタ（第２燃料供給部）
１９  ナフサ用インジェクタ（第１燃料供給部）
２１  吸気弁
４０  排気通路
４１ａ  三元触媒
５１  排気ガス還流通路（ＥＧＲガス還流部）
５１ａ  ＥＧＲ弁（ＥＧＲガス還流部）
７１  吸気Ｓ-ＶＴ（吸気動弁部）
【図１】
2018204476.tif 000003
【図２】
2018204476.tif 000004
【図３】
2018204476.tif 000005
【図４】
2018204476.tif 000006
【図５】
2018204476.tif 000007
【図６】
2018204476.tif 000008
【図７】
2018204476.tif 000009
【図８】
2018204476.tif 000010
【図９】
2018204476.tif 000011